(57)【要約】【課題】通風抵抗を大きく上昇させることなく吹き出し風がフィンに衝突して発生する送風騒音を減少させる。【解決手段】ターボファン１７の外周を取り囲むように配置される室内熱交換器１８と、室内熱交換器１８の内周側に取り付けられる複数の整流板３２と、を備え、室内熱交換器１８は、ターボファン１７との最近接位置Ｐ１において半径方向と直交する平面に沿って配置される複数の平面部と、これらを連結する複数の曲面部と、を有し、第１平面部１８Ａには、最近接位置Ｐ１よりもターボファン１７の回転方向Ｒｄの上流側の第１所定位置に第１の整流板３２Ａが取り付けられ、最近接位置Ｐ１よりもターボファン１７の回転方向Ｒｄの下流側の第２所定位置に第２の整流板３２Ｂが取り付けられ、これらが隣接して配置される空気調和機を提供する。【選択図】図５
2019124437.tif 000002
【特許請求の範囲】
【請求項１】
回転軸の軸線方向に沿って流入する空気を前記軸線方向と交差する半径方向に流出させるファンと、
前記ファンの外周を取り囲むように配置されるとともに伝熱管と該伝熱管に取り付けられる複数のフィンとを有する熱交換器と、
前記熱交換器の内周側に取り付けられるとともに前記回転軸と平行な軸線に沿って延びて前記回転軸に向けて直線状に突出する複数の整流板と、を備え、
前記熱交換器は、
前記ファンとの最近接位置において前記半径方向と直交する平面に沿って配置される複数の平面部と、
前記複数の平面部を連結する複数の曲面部と、を有し、
前記複数の平面部の少なくともいずれか一つには、前記最近接位置よりも前記ファンの回転方向の上流側の第１所定位置に第１の前記整流板が取り付けられ、前記最近接位置よりも前記ファンの回転方向の下流側の第２所定位置に第２の前記整流板が取り付けられ、
前記第１の整流板と前記第２の整流板とが隣接して配置される空気調和機。
【請求項２】
前記第１所定位置は、前記平面部の前記最近接位置を通過する前記半径方向と前記第１の整流板の先端を通過する前記半径方向とがなす角が３度以上かつ７度以下の範囲となる位置である請求項１に記載の空気調和機。
【請求項３】
前記第１所定位置は、前記平面部の前記最近接位置を通過する前記半径方向と前記第１の整流板の先端を通過する前記半径方向とがなす角が５度となる位置である請求項２に記載の空気調和機。
【請求項４】
前記第２所定位置は、前記平面部の前記最近接位置を通過する前記半径方向と前記第２の整流板の先端を通過する前記半径方向とがなす角が１５度以上かつ２０度以下の範囲となる位置である請求項１から請求項３のいずれか一項に記載の空気調和機。
【請求項５】
前記第１の整流板及び前記第２の整流板が取り付けられる前記平面部の前記最近接位置における前記ファンと前記熱交換器との前記半径方向の距離をＬとし、前記第１の整流板の前記回転軸へ向けて突出する長さをｌとした場合、Ｌ／ｌ≧３．５かつｌ≧７ｍｍを満たす請求項１から請求項４のいずれか一項に記載の空気調和機。
【発明の詳細な説明】
【技術分野】
【０００１】
本発明は、熱交換器の内周側に取り付けられる複数の整流板を備える空気調和機に関するものである。
【背景技術】
【０００２】
従来、遠心ファンの周囲にフィンチューブ形の熱交換器を設けた天井埋込型の空気調和機が知られている（例えば、特許文献１参照）。
特許文献１に開示される空気調和機は、方形状の熱交換器の四辺の内側の中央に、それぞれ３枚の導風板を配置したものである。導風板は、遠心ファンの回転方向と反対方向に傾斜し、内側に膨出した曲面状に形成されている。特許文献１の空気調和機は、３枚の導風板の狭い空間に吹き出し風を流入させて吹き出し風の向きをフィンの方向に変化させることにより、吹き出し風がフィンに衝突して発生する送風騒音を減少させる。
【先行技術文献】
【特許文献】
【０００３】
【特許文献１】特開２００１−９９４３６号公報
【発明の概要】
【発明が解決しようとする課題】
【０００４】
しかしながら、特許文献１の空気調和機は、方形状の熱交換器の四辺の内側の中央にそれぞれ３枚の導風板を配置している。また、導風板が遠心ファンの回転方向と反対方向に傾斜して内側に膨出した曲面状に形成されている。そのため、導風板を配置することにより、通風抵抗が大きく上昇してしまう。
【０００５】
本発明は、このような事情に鑑みてなされたものであって、通風抵抗を大きく上昇させることなく吹き出し風がフィンに衝突して発生する送風騒音を減少させることが可能な空気調和機を提供することを目的とする。
【課題を解決するための手段】
【０００６】
上記課題を解決するために、本発明の空気調和機は以下の手段を採用する。
本発明の一態様に係る空気調和機は、回転軸の軸線方向に沿って流入する空気を前記軸線方向と交差する半径方向に流出させるファンと、前記ファンの外周を取り囲むように配置されるとともに伝熱管と該伝熱管に取り付けられる複数のフィンとを有する熱交換器と、前記熱交換器の内周側に取り付けられるとともに前記回転軸と平行な軸線に沿って延びて前記回転軸に向けて直線状に突出する複数の整流板と、を備え、前記熱交換器は、前記ファンとの最近接位置において前記半径方向と直交する平面に沿って配置される複数の平面部と、前記複数の平面部を連結する複数の曲面部と、を有し、前記複数の平面部の少なくともいずれか一つには、前記最近接位置よりも前記ファンの回転方向の上流側の第１所定位置に第１の前記整流板が取り付けられ、前記最近接位置よりも前記ファンの回転方向の下流側の第２所定位置に第２の前記整流板が取り付けられ、前記第１の整流板と前記第２の整流板とが隣接して配置される。
【０００７】
本発明の一態様に係る空気調和機によれば、熱交換器の複数の平面部の少なくともいずれか一つには、ファンとの最近接位置よりもファンの回転方向の上流側の第１所定位置に第１の整流板が取り付けられる。そのため、吹き出し風の回転方向の速度成分が、最近接位置に到達する前に第１の整流板で発生する乱流により減少し、最近接位置で吹き出し風がフィンに衝突して発生する送風騒音が減少する。
また、本発明の一態様に係る空気調和機によれば、熱交換器の複数の平面部の少なくともいずれか一つには、ファンとの最近接位置よりもファンの回転方向の下流側の第２所定位置に第２の整流板が取り付けられる。そのため、最近接位置よりもファンの回転方向の下流側で吹き出し風の回転方向の速度成分が再び上昇することが抑制され、吹き出し風がフィンに衝突して発生する送風騒音が減少する。
【０００８】
さらに、本発明の一態様に係る空気調和機によれば、整流板がファンの回転軸と平行な軸線に沿って延びて回転軸に向けて直線状に突出する形状となっているため、ファンの回転方向と反対方向に傾斜して内側に膨出した曲面状に形成される場合に比べて通風抵抗が減少する。また、第１の整流板と第２の整流板が最近接位置を挟んでファンの回転方向の上流側と下流側に隣接して配置されるため、最近接位置を含めた３枚の整流板を配置する場合に比べて通風抵抗が減少する。
このように、本発明の一態様に係る空気調和機によれば、通風抵抗を大きく上昇させることなく吹き出し風がフィンに衝突して発生する送風騒音を減少させることができる。
【０００９】
本発明の一態様に係る空気調和機において、前記第１所定位置は、前記平面部の前記最近接位置を通過する前記半径方向と前記第１の整流板の先端を通過する前記半径方向とがなす角が３度以上かつ７度以下の範囲となる位置であってもよい。より好ましくは、５度となる位置であってもよい。
このようにすることで、最近接位置における吹き出し風の回転方向の速度成分を適切に減少させることができる。
【００１０】
本発明の一態様に係る空気調和機において、前記第２所定位置は、前記平面部の前記最近接位置を通過する前記半径方向と前記第２の整流板の先端を通過する前記半径方向とがなす角が１５度以上かつ２０度以下の範囲となる位置であってもよい。
このようにすることで、最近接位置よりもファンの回転方向の下流側で吹き出し風の回転方向の速度成分が再び上昇すること適切に抑制することができる。
【００１１】
本発明の一態様に係る空気調和機において、前記第１の整流板及び前記第２の整流板が取り付けられる前記平面部の前記最近接位置における前記ファンと前記熱交換器との前記半径方向の距離をＬとし、前記第１の整流板の前記回転軸へ向けて突出する長さをｌとした場合、Ｌ／ｌ≧３．５かつｌ≧７ｍｍを満たすようにしてもよい。
ファンと熱交換器との半径方向の距離Ｌを第１の整流板の回転軸へ向けて突出する長さｌの３．５倍以上とすることで、第１の整流板による通風抵抗の上昇を十分に抑制することができる。また、ｌを７ｍｍ以上とすることで、第１の整流板で適切に乱流を発生させ、最近接位置における吹き出し風の回転方向の速度成分を減少させることができる。
【発明の効果】
【００１２】
本発明によれば、通風抵抗を大きく上昇させることなく吹き出し風がフィンに衝突して発生する送風騒音を減少させることが可能な空気調和機を提供することができる。
【図面の簡単な説明】
【００１３】
【図１】本発明の一実施形態に係る空気調和機の斜視図である。
【図２】図１に示す空気調和機の室内機の縦断面図である。
【図３】図２に示すファン及び室内熱交換器を開口側からみた図である。
【図４】図２に示す室内熱交換器及び整流板の部分拡大図である。
【図５】図３に示す第１平面部の最近接位置の近傍の部分拡大図である。
【図６】室内機で発生する騒音の音圧レベルを示すグラフである。
【発明を実施するための形態】
【００１４】
以下に、本発明に係る空気調和機１の一実施形態について、図面を参照して説明する。
図１には、本実施形態に係る天井埋込み型の空気調和機１の斜視図が示され、図２には、その縦断面図が示されている。ここでは、室外機２に対して１台の室内機３が接続された天井埋込み型の空気調和機１の例が示されている。
【００１５】
空気調和機１は、室内機３が室内の天井等に吊下げ設置され、冷媒配管４および電気配線５を介して屋外の設置された室外機２と接続されて使用されるものである。室外機２には、冷媒圧縮機６、室外熱交換器７、室外ファン８、コントロールボックス９、図示省略の四方切換弁等の機器類が設置されている。この室外機２は、室内機３側に設けられる後述の室内熱交換器１８と共に冷凍サイクルを構成し、室内機３に供給する冷媒の調整機能を担うものである。
【００１６】
室内機３は、下方部が開口されているキャビネット１０と、このキャビネット１０の下方部位に取り付けられる略四角形状の天井パネル１１とを備えている。キャビネット１０内の下方部位には、空気吸込口１２を形成するベルマウス１３と、ドレンパン１４とが設置されており、ドレンパン１４の一部により風路１５が形成されている。また、キャビネット１０の天板中央部位には、ファンモータ１６により回転駆動されるターボファン１７が設置されており、このターボファン１７の外周を取り囲むように、四角形状に折り曲げ形成されている室内熱交換器１８が図示省略のブラケットを介して天板側に固定設置されている。
【００１７】
キャビネット１０内には、空気吸込口１２を形成するベルマウス１３を介してターボファン１７に室内空気を導き、ターボファン１７により昇圧されてラジアル方向に吹出された空気を、その外周を取り囲むように配設されている室内熱交換器１８を通して、キャビネット１０の内面とドレンパン１４の外周面とで形成される風路１５へと流通させる空気流通路１９が構成されている。
【００１８】
四方形状の天井パネル１１には、その四辺に沿って空調風を吹出す長方形状の空気吹出口２０が風路１５と連通すように設けられているとともに、中央部に室内空気を吸込むための開口２１が設けられている。この開口２１には、エアフィルタ２２等を設置した吸込グリル２３が、図１に示されるように、ワイヤ２４等を介して昇降自在に設けられている。また、各空気吹出口２０には、空気吹出口２０から吹出される空調風の風向を調整するための風向調整ルーバ２５が、それぞれ個別にスイング可能に設置されている。
【００１９】
ターボファン１７は、中心部にファンモータ１６の回転軸１６Ａを固定するためのハブ２６が設けられている主板２７と、主板２７に対向配設されている流体流路２８を形成するためのシュラウド２９と、シュラウド２９と主板２７との間に配設されている複数枚のブレード３０とから構成されている。このターボファン１７は、シュラウド２９側がベルマウス１３の空気吸込口１２に対向配置されており、ベルマウス１３の一部がシュラウド２９の内周にオーバーラップされ、その間にターボファン１７の吹出風の一部をベルマウス１３の裏面に沿ってベルマウス１３とシュラウド２９とのオーバーラップ部の隙間からシュラウド２９の内面２９Ａ側に循環させる再循環路３１が形成されている。
【００２０】
ターボファン１７は、ファンモータ１６の回転軸１６Ａ回りに回転するファンであり、回転軸１６Ａの軸線方向に沿って流入する空気を回転軸１６Ａの軸線方向と交差する半径方向に流出させる。ここで、回転軸１６Ａの軸線方向は鉛直方向と一致しており、軸線方向と交差する半径方向は水平方向と一致している。
【００２１】
ここで、図３を参照して、室内熱交換器１８について説明する。図３は、図２に示すターボファン１７及び室内熱交換器１８を開口２１からみた図である。
図３に示すように、室内熱交換器１８は、ターボファン１７の外周を取り囲むように配置されるとともに伝熱管１８ａと伝熱管１８ａに取り付けられる複数のフィン１８ｂとを有する。図３に示すように、室内熱交換器１８は、第１平面部１８Ａ，第２平面部１８Ｂ，第３平面部１８Ｃ，第４平面部１８Ｄ，第５平面部１８Ｅと、第１曲面部１８Ｆ，第２曲面部１８Ｇ，第３曲面部１８Ｈ，第４曲面部１８Ｉとを有する。
【００２２】
第１平面部１８Ａは、ターボファン１７のブレード３０との最近接位置Ｐ１において半径方向と直交する平面に沿って配置される部分である。第２平面部１８Ｂは、ターボファン１７のブレード３０との最近接位置Ｐ２において半径方向と直交する平面に沿って配置される部分である。第３平面部１８Ｃは、ターボファン１７のブレード３０との最近接位置Ｐ３において半径方向と直交する平面に沿って配置される部分である。第４平面部１８Ｄは、ターボファン１７のブレード３０との最近接位置Ｐ３において半径方向と直交する平面に沿って配置される部分である。第５平面部１８Ｅは、ターボファン１７のブレード３０との最近接位置Ｐ５において半径方向と直交する平面に沿って配置される部分である。
【００２３】
第１曲面部１８Ｆは第１平面部１８Ａと第２平面部１８Ｂとを連結する部分であり、第２曲面部１８Ｇは第２平面部１８Ｂと第３平面部１８Ｃとを連結する部分であり、第３曲面部１８Ｈは第３平面部１８Ｃと第４平面部１８Ｄとを連結する部分であり、第４曲面部１８Ｉは第４平面部１８Ｄと第５平面部１８Ｅとを連結する部分である。
【００２４】
次に、図２から図５を参照して、室内熱交換器１８の内周側に取り付けられる複数の整流板３２について説明する。図４は、図２に示す室内熱交換器１８及び整流板３２の部分拡大図である。図５は、図３の第１平面部１８Ａの最近接位置Ｐ１の近傍の部分拡大図である。
図２に示すように、室内熱交換器１８の内周側には、回転軸１６Ａと平行な軸線Ｘ１に沿って延びる整流板３２と、回転軸１６Ａと平行な軸線Ｘ２に沿って延びる整流板３２とが取り付けられている。
【００２５】
図３に示すように、第１平面部１８Ａの内周側には２つの整流板３２が取り付けられており、第２平面部１８Ｂの内周側には２つの整流板３２が取り付けられており、第３平面部１８Ｃの内周側には２つの整流板３２が取り付けられている。第４平面部１８Ｄの内周側には１つの整流板３２が取り付けられており、第５平面部１８Ｅの内周側には１つの整流板３２が取り付けられている。
【００２６】
図４に示すように、整流板３２は、ターボファン１７の半径方向と直交する平面に沿って配置される基部３２ａと、基部３２ａから回転軸１６Ａに向けて直線状に突出する板部３２ｂと、基部３２ａから板部３２ｂの反対方向に突出する一対の保持部３２ｃと、基部３２ａから板部３２ｂの反対方向に突出する支持部３２ｄと、を有する。整流板３２は、支持部３２ｄを伝熱管１８ａに支持させた状態で一対の保持部３２ｃで伝熱管１８ａを保持させることにより、室内熱交換器１８に取り付けられる。
【００２７】
図４に示すように、整流板３２を室内熱交換器１８に取り付けた状態で、整流板３２の基部３２ａの上端は、室内熱交換器１８のフィン１８ｂの上端と一致する。このような位置関係となっているため、作業者は、整流板３２の基部３２ａの上端がフィン１８ｂの上端と一致するように位置合わせすることで、整流板３２を容易に室内熱交換器１８に取り付けることができる。
【００２８】
図５に示すように、第１平面部１８Ａには、整流板３２Ａ（第１の整流板）と、整流板３２Ｂ（第２の整流板）とが隣接して配置された状態で取り付けられている。整流板３２Ａは、ターボファン１７の回転方向Ｒｄの上流側の第１所定位置に取り付けられている。ここで、第１所定位置とは、第１平面部１８Ａの最近接位置Ｐ１を通過する半径方向と整流板３２Ａの先端を通過する半径方向とがなす角θ１が、３度以上かつ７度以下の範囲となる位置である。第１所定位置は、更に望ましくはθ１が５度となる位置である。このようにすることで、最近接位置Ｐ１におけるターボファン１７からの吹き出し風の回転方向Ｒｄの速度成分を適切に減少させることができる。
【００２９】
整流板３２Ｂは、ターボファン１７の回転方向Ｒｄの下流側の第２所定位置に取り付けられている。ここで、第２所定位置とは、第１平面部１８Ａの最近接位置Ｐ１を通過する半径方向と整流板３２Ｂの先端を通過する半径方向とがなす角θ２が、１５度以上かつ２０度以下の範囲となる位置である。このようにすることで、最近接位置Ｐ１よりもターボファン１７の回転方向Ｒｄの下流側で吹き出し風の回転方向Ｒｄの速度成分が再び上昇すること適切に抑制することができる。
【００３０】
図５において、距離Ｌは、整流板３２Ａ及び整流板３２Ｂが取り付けられる第１平面部１８Ａの最近接位置Ｐ１におけるターボファン１７と室内熱交換器１８との半径方向の距離である。また、距離ｌは、整流板３２Ａ及び整流板３２Ｂの回転軸１６Ａへ向けて突出する長さである。本実施形態において、距離Ｌと距離ｌとは、以下の式（１）及び式（２）の関係を満たす。
Ｌ／ｌ≧３．５          （１）
ｌ≧７ｍｍ              （２）
式（１）は、整流板３２Ａによる通風抵抗の上昇を抑制するための条件である。また、式（２）は、最近接位置Ｐ１におけるターボファン１７の吹き出し風の回転方向Ｒｄの速度成分を減少させるための条件である。
【００３１】
なお、以上においては、第１平面部１８Ａに取り付けられる２つの整流板３２について説明したが、第２平面部１８Ｂに取り付けられる２つの整流板３２も、第１平面部１８Ａに取り付けられる２つの整流板３２と同様の配置となる。また、第３平面部１８Ｃに取り付けられる２つの整流板３２も、第１平面部１８Ａに取り付けられる２つの整流板３２と同様の配置となる。
【００３２】
なお、第１平面部１８Ａ，第２平面部１８Ｂ，第３平面部１８Ｃには、それぞれ２つの整流板３２が取り付けられる一方で、第４平面部１８Ｄ，第５平面部１８Ｅには、それぞれ１つずつの整流板３２が取り付けられる。これは、第４平面部１８Ｄ，第５平面部１８Ｅの長さが第１平面部１８Ａ，第２平面部１８Ｂ，第３平面部１８Ｃに比べて短く、最近接位置Ｐ４，Ｐ５における吹き出し風の回転方向Ｒｄの速度成分が小さいからである。
【００３３】
次に、本実施形態の空気調和機１の室内機３で発生する騒音の音圧レベルとその比較例について説明する。図６は、本実施形態の室内機３で発生する騒音の音圧レベルを示すグラフである。図６において、実線は本実施形態の図３に示すように室内熱交換器１８の内周側に複数の整流板３２を配置した場合の音圧レベルを示し、破線は図３に示す複数の整流板３２の全てを配置しない場合の音圧レベルを示す。図６は、１／３オクターブバンド中心周波数（Ｈｚ）と音圧レベル（ｄＢ）との関係を示すものである。
【００３４】
図６の実験結果に示すように、本実施形態の空気調和機１は、比較例に比べて、騒音として認識されやすい高周波数領域（２ｋＨｚ〜４ｋＨｚ）の音圧レベルが低くなっている。これは、最近接位置Ｐ１，Ｐ２，Ｐ３よりもターボファン１７の回転方向Ｒｄの上流側の第１所定位置に整流板３２が取り付けられているため、吹き出し風の回転方向Ｒｄの速度成分が、最近接位置Ｐ１，Ｐ２，Ｐ３に到達する前に整流板３２で発生する乱流により減少していることが要因であると考えられる。
【００３５】
また、ターボファン１７との最近接位置Ｐ１，Ｐ２，Ｐ３よりもターボファン１７の回転方向Ｒｄの下流側の第２所定位置に整流板３２が取り付けられているため、最近接位置Ｐ１，Ｐ２，Ｐ３よりもターボファン１７の回転方向Ｒｄの下流側で吹き出し風の回転方向Ｒｄの速度成分が再び上昇することが抑制されていることが要因であると考えられる。
【００３６】
以上説明した本実施形態の空気調和機１が奏する作用及び効果について説明する。
本実施形態の空気調和機１によれば、室内熱交換器１８の第１平面部１８Ａ，第２平面部１８Ｂ、第３平面部１８Ｃには、ターボファン１７のブレード３０との最近接位置Ｐ１，Ｐ２，Ｐ３よりもターボファン１７の回転方向Ｒｄの上流側の第１所定位置に整流板３２が取り付けられる。そのため、吹き出し風の回転方向Ｒｄの速度成分が、最近接位置Ｐ１，Ｐ２，Ｐ３に到達する前に整流板３２で発生する乱流により減少し、最近接位置Ｐ１，Ｐ２，Ｐ３で吹き出し風がフィン１８ｂに衝突して発生する送風騒音が減少する。
【００３７】
ここで、第１所定位置は、第１平面部１８Ａ（第２平面部１８Ｂ，第３平面部１８Ｃ）の最近接位置Ｐ１（Ｐ２，Ｐ３）を通過する半径方向と整流板３２Ａの先端を通過する半径方向とがなす角θ１が３度以上かつ７度以下の範囲となる位置である。より好ましくは、５度となる位置である。
【００３８】
また、本実施形態の空気調和機１によれば、室内熱交換器１８の第１平面部１８Ａ，第２平面部１８Ｂ、第３平面部１８Ｃには、ターボファン１７のブレード３０との最近接位置Ｐ１，Ｐ２，Ｐ３よりもターボファン１７の回転方向Ｒｄの下流側の第２所定位置に整流板３２が取り付けられる。そのため、最近接位置Ｐ１，Ｐ２，Ｐ３よりもターボファン１７の回転方向Ｒｄの下流側で吹き出し風の回転方向Ｒｄの速度成分が再び上昇することが抑制され、吹き出し風がフィン１８ｂに衝突して発生する送風騒音が減少する。
【００３９】
ここで、第２所定位置は、第１平面部１８Ａ（第２平面部１８Ｂ，第３平面部１８Ｃ）の最近接位置Ｐ１（Ｐ２，Ｐ３）を通過する半径方向と整流板３２Ｂの先端を通過する半径方向とがなす角θ２が１５度以上かつ２０度以下の範囲となる位置である。
【００４０】
さらに、本実施形態の空気調和機１によれば、整流板３２がターボファン１７の回転軸１６Ａと平行な軸線Ｘ１，Ｘ２に沿って延びて回転軸１６Ａに向けて直線状に突出する形状となっているため、ターボファン１７の回転方向Ｒｄと反対方向に傾斜して内側に膨出した曲面状に形成される場合に比べて通風抵抗が減少する。また、２つの整流板３２が最近接位置Ｐ１，Ｐ２，Ｐ３を挟んでターボファン１７の回転方向Ｒｄの上流側と下流側に隣接して配置されるため、最近接位置Ｐ１，Ｐ２，Ｐ３を含めた３枚の整流板を配置する場合に比べて通風抵抗が減少する。
このように、本実施形態の空気調和機１によれば、通風抵抗を大きく上昇させることなく吹き出し風がフィン１８ｂに衝突して発生する送風騒音を減少させることができる。
【００４１】
本実施形態の空気調和機１において、整流板３２Ａ及び整流板３２Ｂが取り付けられる第１平面部１８Ａ（第２平面部１８Ｂ、第３平面部１８Ｃ）の最近接位置Ｐ１（Ｐ２，Ｐ３）におけるターボファン１７と室内熱交換器１８との半径方向の距離をＬとし、整流板３２Ａの回転軸１６Ａへ向けて突出する長さをｌとした場合、Ｌ／ｌ≧３．５かつｌ≧７ｍｍを満たす。
【００４２】
ターボファン１７と室内熱交換器１８との半径方向の距離Ｌを整流板３２Ａ及び整流板３２Ｂの回転軸１６Ａへ向けて突出する長さｌの３．５倍以上とすることで、整流板３２Ａ及び整流板３２Ｂによる通風抵抗の上昇を十分に抑制することができる。また、ｌを７ｍｍ以上とすることで、整流板３２Ａで適切に乱流を発生させ、最近接位置Ｐ１（Ｐ２，Ｐ３）における吹き出し風の回転方向Ｒｄの速度成分を減少させることができる。
【符号の説明】
【００４３】
１      空気調和機
２      室外機
３      室内機
４      冷媒配管
５      電気配線
６      冷媒圧縮機
７      室外熱交換器
８      室外ファン
９      コントロールボックス
１０    キャビネット
１１    天井パネル
１２    空気吸込口
１３    ベルマウス
１４    ドレンパン
１５    風路
１６    ファンモータ
１６Ａ  回転軸
１７    ターボファン
１８    室内熱交換器
１８ａ  伝熱管
１８ｂ  フィン
１８Ａ  第１平面部
１８Ｂ  第２平面部
１８Ｃ  第３平面部
１８Ｄ  第４平面部
１８Ｅ  第５平面部
１８Ｆ  第１曲面部
１８Ｇ  第２曲面部
１８Ｈ  第３曲面部
１８Ｉ  第４曲面部
１９    空気流通路
２０    空気吹出口
２１    開口
２２    エアフィルタ
２３    吸込グリル
２４    ワイヤ
２５    風向調整ルーバ
２６    ハブ
２７    主板
２８    流体流路
２９    シュラウド
３０    ブレード
３１    再循環路
３２，３２Ａ，３２Ｂ    整流板
３２ａ  基部
３２ｂ  板部
【図１】
2019124437.tif 000003
【図２】
2019124437.tif 000004
【図３】
2019124437.tif 000005
【図４】
2019124437.tif 000006
【図５】
2019124437.tif 000007
【図６】
2019124437.tif 000008